(57)【要約】【課題】遊技機を支持する高さ位置を遊技機の種類に応じて容易に変更でき、しかも安定して支持することができる遊技機支持枠を提供すること。【解決手段】遊技機の下部を支持する下部フレーム体１７３は、設置面に立設される第１縦フレーム７４と、第１縦フレーム７４の上部から略水平方向に延設され遊技機を第１位置にて支持する横フレーム７５と、横フレーム７５から上方に延設される第２縦フレーム７６と、横フレーム７５に回動可能に設けられる第１回動フレーム７７と、第２縦フレーム７６に回動可能に設けられる第２回動フレーム７８と、を備え、第１回動フレーム７７と第２回動フレーム７８とを横フレーム７５の上方位置にて連結することで、第１回動フレーム７７、第２回動フレーム７８、第２縦フレーム７６により、遊技機を第１位置よりも上方の第２位置にて支持する第２支持面１２０が形成される。【選択図】図２
2014073255.tif 000002
【特許請求の範囲】
【請求項１】
遊技機を支持する遊技機支持枠であって、
前記遊技機の下部を支持するための下部フレーム体と、
前記下部フレーム体の上方に設けられ前記遊技機の上部を支持するための上部フレーム体と、から構成され、
前記下部フレーム体は、
設置面に立設される第１縦フレームと、
前記第１縦フレームの上部から略水平方向に延設され前記遊技機を第１位置にて支持する横フレームと、
前記横フレームから上方に延設され前記上部フレーム体が上下方向に位置調整可能に設けられる第２縦フレームと、
前記第１縦フレームまたは前記横フレームに回動可能に設けられる第１回動フレームと、
前記第２縦フレームに回動可能に設けられる第２回動フレームと、
前記第１回動フレームと前記第２回動フレームとを連結する連結手段と、
を備え、
前記連結手段により前記第１回動フレームと前記第２回動フレームとを前記横フレームの上方位置にて連結することで、前記第１回動フレーム、前記第２回動フレーム、前記第２縦フレームにより、前記遊技機を前記第１位置よりも上方の第２位置にて支持する支持部が形成される、
ことを特徴とする遊技機支持枠。
【請求項２】
遊技機を支持する遊技機支持枠であって、
前記遊技機の下部を支持するための下部フレーム体と、
前記下部フレーム体の上方に設けられ前記遊技機の上部を支持するための上部フレーム体と、から構成され、
前記下部フレーム体は、
設置面に立設される第１縦フレームと、
前記第１縦フレームの上部から略水平方向に延設される横フレームと、
前記横フレームから上方に延設され前記上部フレーム体が上下方向に位置調整可能に設けられる第２縦フレームと、
前記第２縦フレームに対し上下方向にスライド可能に設けられ前記遊技機を支持する移動支持部材と、
前記第１縦フレームまたは前記横フレームに、前記移動支持部材を第１位置にて保持する第１回動位置と該第１位置よりも高い第２位置にて保持する第２回動位置との間で回動可能に設けられた回動部材と、
を備え、
前記回動部材は、前記移動支持部材を前記第１回動位置にて保持する第１保持部と、前記第２回動位置にて保持する第２保持部と、を備える、
ことを特徴とする遊技機支持枠。
【発明の詳細な説明】
【技術分野】
【０００１】
本発明は、パチンコ遊技機やスロットマシン等の遊技機を支持する遊技機支持枠に関する。
【背景技術】
【０００２】
遊技店に設置される遊技機設置島は、例えば、金属製フレームにより形成される支持枠等により躯体が構成され、この支持枠に遊技機を設置する設置板や化粧板等が組み付けられることにより、パチンコ遊技機やスロットマシン等の遊技機を複数設置することができるようになっている。
【０００３】
このような遊技機設置島には、一般的にパチンコ遊技機またはスロットマシンのいずれかが設置されるが、営業形態に応じて、例えばパチンコ遊技機の遊技機設置島をスロットマシンの遊技機設置島に変更したり、スロットマシンの遊技機設置島をパチンコ遊技機の遊技機設置島に変更したり、あるいはパチンコ遊技機とスロットマシン遊技機とを併設することがあった。
【０００４】
このように設置する遊技機の種類を変更したり異なる種類の遊技機を併設したりする場合にあっては、パチンコ遊技機において遊技球を発射させるための操作ハンドルの高さ位置と、スロットマシンにおいてメダルを投入するメダル投入口や各種操作スイッチの高さ位置とが異なることから、支持枠において遊技機の下端部を支持する下端支持部を下部フレーム体に対し高さ位置調整可能に設け、スロットマシンをパチンコ遊技機よりも低い位置に設置できるようにしたものがあった（例えば、特許文献１参照）。
【０００５】
また、パチンコ遊技機を設置する場合には、支持枠における下部フレームの上面にドル箱棚を設置し、スロットマシンを設置する場合には、下部フレームの上面に膳板を介して設置したスロットマシンの上部にドル箱棚を設置することで、スロットマシンをパチンコ遊技機よりも低い位置に設置できるようにしたものがあった（例えば、特許文献２参照）。
【先行技術文献】
【特許文献】
【０００６】
【特許文献１】特開平１１−４７４１７号公報
【特許文献２】特開２００１−２２４８２６号公報
【発明の概要】
【発明が解決しようとする課題】
【０００７】
上記特許文献１に記載の支持枠にあっては、重量がある下端支持部を設置したい高さ位置に保持した状態で、下部フレーム体側に設けられた位置調整孔と下端支持部側に設けられたネジ穴とを合致させ、これら位置調整孔とネジ穴とに固定ボルトを挿通して螺入しなければならないため、高さ位置調整作業が大変であるという問題があった。
【０００８】
また、上記特許文献１に記載の支持枠にあっては、パチンコ遊技機を設置する場合は該パチンコ遊技機の荷重がドル箱棚にかかり、強度的に問題があった。
【０００９】
本発明は、このような問題点に着目してなされたもので、遊技機を支持する高さ位置を遊技機の種類に応じて容易に変更でき、しかも安定して支持することができる遊技機支持枠を提供することを目的とする。
【課題を解決するための手段】
【００１０】
前記課題を解決するために、本発明の請求項１に記載の遊技機支持枠は、
遊技機（例えば、パチンコ遊技機２やスロットマシン３）を支持する遊技機支持枠（支持枠６６Ｌ，６６Ｒ）であって、
前記遊技機の下部を支持するための下部フレーム体（下部フレーム体１７３）と、
前記下部フレーム体の上方に設けられ前記遊技機の上部を支持するための上部フレーム体（上部フレーム体１７４）と、から構成され、
前記下部フレーム体は、
設置面に立設される第１縦フレーム（第１縦フレーム７４）と、
前記第１縦フレームの上部から略水平方向に延設され前記遊技機を第１位置（図５の左側の第１支持面１１０の位置）にて支持する横フレーム（横フレーム７５）と、
前記横フレームから上方に延設され前記上部フレーム体が上下方向に位置調整可能に設けられる第２縦フレーム（第２縦フレーム７６）と、
前記第１縦フレームまたは前記横フレームに回動可能に設けられる第１回動フレーム（第１回動フレーム７７）と、
前記第２縦フレームに回動可能に設けられる第２回動フレーム（第２回動フレーム７８）と、
前記第１回動フレームと前記第２回動フレームとを連結する連結手段（連結ボルト７９ａ及び連結ナット７９ｂ、貫通孔９２，１００）と、
を備え、
前記連結手段により前記第１回動フレームと前記第２回動フレームとを前記横フレームの上方位置にて連結することで、前記第１回動フレーム、前記第２回動フレーム、前記第２縦フレームにより、前記遊技機を前記第１位置よりも上方の第２位置（図５の右側の第２支持面１２０の位置）にて支持する支持部（第２支持面１２０）が形成される（図２及び図４（Ｂ）参照）、
ことを特徴としている。
この特徴によれば、第１回動フレームと第２回動フレームとを横フレームの上方位置にて連結すれば、第１回動フレームと第２回動フレームと第２縦フレームとにより遊技機を第１位置よりも上方の第２位置にて支持可能となり、連結しなければ、横フレームにより遊技機を第１位置にて支持可能となるので、設置する遊技機の種類に応じて高さ位置を容易に変更することができる。
【００１１】
本発明の請求項２に記載の遊技機支持枠は、
遊技機（例えば、パチンコ遊技機２やスロットマシン３）を支持する遊技機支持枠（支持枠１０６６）であって、
前記遊技機の下部を支持するための下部フレーム体（下部フレーム体１１７３）と、
前記下部フレーム体の上方に設けられ前記遊技機の上部を支持するための上部フレーム体（上部フレーム体１１７４）と、から構成され、
前記下部フレーム体は、
設置面（例えば、下部レール６２）に立設される第１縦フレーム（第１縦フレーム１０７４）と、
前記第１縦フレームの上部から略水平方向に延設される横フレーム（横フレーム１０７５）と、
前記横フレームから上方に延設され前記上部フレーム体が上下方向に位置調整可能に設けられる第２縦フレーム（第２縦フレーム１０７６）と、
前記第２縦フレームに対し上下方向にスライド可能に設けられ前記遊技機を支持する移動支持部材（移動支持部材１１００）と、
前記第１縦フレームまたは前記横フレームに、前記移動支持部材を第１位置にて保持する第１回動位置（図１０参照）と該第１位置よりも高い第２位置にて保持する第２回動位置（図９参照）との間で回動可能に設けられた回動部材（回動部材１２００）と、
を備え、
前記回動部材は、前記移動支持部材を前記第１回動位置にて保持する第１保持部（連結ボルト１２１０及び連結ナット、貫通孔１２０３）と、前記第２回動位置にて保持する第２保持部（連結ボルト１２１０及び連結ナット、貫通孔１２０４）と、を備える（図９及び図１０参照）、
ことを特徴としている。
この特徴によれば、移動支持部を第２保持部で保持すれば、遊技機を第１位置よりも上方の第２位置にて支持可能となり、第１保持部で保持すれば、遊技機を第１位置にて支持可能となるので、設置する遊技機の種類に応じて高さ位置を容易に変更することができる。
【００１２】
本発明の手段１の遊技機支持枠は、請求項１に記載の遊技機支持枠であって、
前記第２縦フレーム（第２縦フレーム７６）には、前記横フレーム（横フレーム７５）に対し略平行に突出する突部（突部９５）が形成され、
前記第２回動フレーム（第２回動フレーム７８）は、前記突部に回動可能に設けられている（図４参照）、
ことを特徴としている。
この特徴によれば、第２縦フレームに突部が形成されることで、この突部に遊技機を設置するための設置板等を載置することができるので、遊技機の荷重を好適に支えることができる。
【００１３】
本発明の手段２の遊技機支持枠は、請求項１または手段１に記載の遊技機支持枠であって、
前記遊技機支持枠（支持枠６６Ｌ，６６Ｒ）は、上下方向を向く基準線を中心として対称配置される一対の前記下部フレーム体（下部フレーム体１７３，１７３）及び前記上部フレーム体（上部フレーム体１７４，１７４）を有し、
前記突部（突部９５）は、一方の前記第２縦フレーム（第２縦フレーム７６）と他方の第２縦フレームとを連結する連結部材（連結ビーム７１）の両端にそれぞれ形成されている（図４参照）、
ことを特徴としている。
この特徴によれば、一方の下部フレーム体に支持される遊技機と他方の下部フレーム体に支持される遊技機とで重量または重心バランスが異なる場合でも、一方の突部にかかる荷重が連結部材を介して他方に分散されるので、遊技機を安定して支持できる。
【００１４】
本発明の手段３の遊技機支持枠は、請求項１、手段１、手段２のいずれかに記載の遊技機支持枠であって、
前記第１回動フレーム（第１回動フレーム７７）は、前記第１縦フレームまたは前記横フレーム（横フレーム７５）の両側に配設された一対の回動フレーム（回動フレーム７７ａ，７７ｂ）と該一対の回動フレームを連結する軸部材（軸ボルト８１ａ）とを有し、
前記第１縦フレームまたは前記横フレームには、前記軸部材が挿通される貫通孔（軸受孔８０）が形成されている（図４参照）、
ことを特徴としている。
この特徴によれば、第１縦フレームまたは横フレームの両側にバランスよく荷重がかかるようになるため、遊技機を安定して支持できる。
【００１５】
本発明の手段４の遊技機支持枠は、請求項１、手段１〜３のいずれかに記載の遊技機支持枠であって、
前記突部（突部９５）は、前記第２縦フレーム（第２縦フレーム７６）の両側に配設された一対の板部材（支持片９５ｂ，９５ｂ）と該一対の板部材を連結する突部用軸部材（軸部材９７）とを有し、
前記板部材には、前記突部用軸部材が挿通される貫通孔（軸受孔９８）が形成されている（図４参照）、
ことを特徴としている。
この特徴によれば、第２縦フレームの両側にバランスよく荷重がかかるようになるため、遊技機を安定して支持できる。
【００１６】
本発明の手段５の遊技機支持枠は、請求項１、請求項２、手段１〜４のいずれかに記載の遊技機支持枠であって、
前記遊技機（例えば、パチンコ遊技機２やスロットマシン３）に対応して設けられ所定の報知（例えば、遊技店員の呼出しや遊技に関連する情報の報知など）が可能な報知装置（例えば、呼出しランプ２００など）を備え、
前記上部フレーム体（上部フレーム体１７４）には、前記報知装置の取付部（幕板５０）が設けられている、
ことを特徴としている。
この特徴によれば、遊技機の種類によって報知装置の上下位置も変わることで、遊技機に対する報知装置の位置関係が機種毎に変わることがないので、遊技者に違和感を与えにくくなる。
【図面の簡単な説明】
【００１７】
【図１】遊技機設置島を構成する躯体構造を示す斜視図である。
【図２】支持枠を示す斜視図である。
【図３】（Ａ）は支持枠を示す正面図、（Ｂ）は支持枠を示す側面図である。
【図４】（Ａ）は第１、２回動フレームの非連結状態、（Ｂ）は連結状態、（Ｃ）は（Ｂ）のＡ−Ａ断面図である。
【図５】パチンコ遊技機とスロットマシンを併設した状態を示す構造図である。
【図６】パチンコ遊技機を設置した状態を示す構造図である。
【図７】スロットマシンを設置した状態を示す構造図である。
【図８】パチンコ遊技機とスロットマシンを併設した状態を示す変形例としての構造図である。
【図９】（Ａ）は変形例としての支持枠を示す正面図、（Ｂ）は（Ａ）の要部拡大図である。
【図１０】（Ａ）は変形例としての支持枠を示す正面図、（Ｂ）は（Ａ）の要部拡大図である。
【発明を実施するための形態】
【００１８】
本発明に係る遊技機支持枠を実施するための形態を実施例に基づいて以下に説明する。
【実施例】
【００１９】
まず、本発明の実施例としての遊技機設置島の躯体構造について、図１〜図８に基づいて説明する。図１は、遊技機設置島を構成する躯体構造を示す斜視図である。図２は、支持枠を示す斜視図である。図３は、（Ａ）は支持枠を示す正面図、（Ｂ）は支持枠を示す側面図である。図４は、（Ａ）は第１、２回動フレームの非連結状態、（Ｂ）は連結状態、（Ｃ）は（Ｂ）のＡ−Ａ断面図、（Ｄ）は（Ｂ）のＢ−Ｂ断面図である。図５は、パチンコ遊技機とスロットマシンを併設した状態を示す構造図である。図６は、パチンコ遊技機を設置した状態を示す構造図である。図７は、スロットマシンを設置した状態を示す構造図である。図８は、パチンコ遊技機とスロットマシンを併設した状態を示す変形例としての構造図である。尚、図４（Ａ）（Ｂ）では、説明の便宜上、第１回動フレームと第２回動フレームとを斜線で示している。また、以下の説明においては、説明の便宜上、図１の右斜め下が前側、左斜め上が後側、左斜め下が左側、右斜め上が右側として説明する。
【００２０】
図１に示すように、本実施例における躯体１は、複数の遊技機を設置可能な所謂遊技機設置島（図示略）を構成する躯体であって、遊技店等の床面上に敷設される前後一対のレール部材としての下部レール６２，６２と、該下部レール６２，６２上に立設される躯体ユニットとしての下部ユニット６０と、下部ユニット６０の上部に設置される上部ユニット６１と、から主に構成される。
【００２１】
下部レール６２，６２は、チャンネル状（断面略上向きＣ字形）の金属製レールからなり、遊技店等の床面、すなわち、下部ユニット６０を設置する設置面上にアンカーボルト（図示略）等を介して略水平に固設される。
【００２２】
上部ユニット６１は、金属製フレーム及び木板により中空箱状に形成され、遊技機設置島の上部である幕板部を構成するユニットであり、その前後面には、遊技店員を呼出す呼出しスイッチ（図示略）や遊技に関する情報の表示が可能、つまり、遊技店員の呼出しや遊技に関連する情報の報知等が可能な報知装置としての呼出しランプ２００が配設された幕板５０（図５参照）が、上辺を中心として開閉可能に取り付けられるようになっている。
【００２３】
図１〜図３に示すように、下部ユニット６０は、管状の金属製フレームからなり、遊技機設置島の下部である腰部及び中間部である設置部を構成するユニットであり、その前後面下部には、木製の扉枠（図示略）及びその上部に固定される膳板１３，固定板１３ａが取り付けられるようになっており、該固定板１３ａの上部、つまり設置部には、パチンコ遊技機２またはスロットマシン３並びに球貸処理機（図示略）やメダル貸処理機（図示略）が設置固定されるようになっている。
【００２４】
詳しくは、下部ユニット６０は、互いに長手方向に対向して配置される左右一対の支持枠６６Ｌ，６６Ｒと、これら支持枠６６Ｌ，６６Ｒ間を連結する前後一対の連結フレーム６７Ｆ，６７Ｂと、からなる。連結フレーム６７Ｆ，６７Ｂを介して一体化された左右一対の支持枠６６Ｌ，６６Ｒからなる下部ユニット６０は、下部レール６２，６２の長手方向にわたり所定間隔おきに設置される（図１参照）。
【００２５】
以下、支持枠６６Ｌ，６６Ｒの構成について、図２〜図４に基づいて説明する。尚、支持枠６６Ｌ，６６Ｒは、連結フレーム６７Ｆ，６７Ｂが左側か右側のいずれかに連結されている点のみが異なり、その他は同様に構成されているため、以下においては左側の支持枠６６Ｌについて説明し、右側の支持枠６６Ｒについての説明は省略することとする。
【００２６】
支持枠６６Ｌは、前支持枠７０Ｆと、後支持枠７０Ｂと、これら前支持枠７０Ｆと後支持枠７０Ｂとを連結する上下の連結ビーム７１，７２と、から構成されている。
【００２７】
前支持枠７０Ｆ及び後支持枠７０Ｂは、遊技機であるパチンコ遊技機２やスロットマシン３の下部を支持する前後一対の下部フレーム体１７３，１７３と、下部フレーム体１７３，１７３の上方に設けられパチンコ遊技機２やスロットマシン３の上部を支持する上部フレーム体１７４，１７４と、から構成されている。
【００２８】
下部フレーム体１７３，１７３は、設置面となる下部レール６２，６２の上面に立設される第１縦フレーム７４，７４と、第１縦フレーム７４，７４の上部から互いに他方の支持枠に向けて略水平に延設され、遊技機を後述する第１位置にて支持する横フレーム７５，７５と、横フレーム７５，７５から上方に延設され上部フレーム体１７４，１７４が上下方向に位置調整可能に設けられる第２縦フレーム７６，７６と、横フレーム７５，７５の前後端に回動可能に設けられる第１回動フレーム７７，７７と、第２縦フレーム７６，７６に回動可能に設けられる第２回動フレーム７８，７８と、第１回動フレーム７７，７７と第２回動フレーム７８，７８とを連結する連結手段としての連結ボルト７９ａ及び連結ナット７９ｂと、を備えている。
【００２９】
尚、本実施例では、これら各フレーム７４〜７８及び連結ビーム７１，７２は、断面略長方形状の金属管にて構成されているが、合成樹脂材からなる管体や非中空の柱状部材にて構成されていてもよく、素材や断面形状などは種々に変形可能である。
【００３０】
第１縦フレーム７４，７４は、下部レール６２，６２上に立設固定される固定フレーム７４ａと、固定フレーム７４ａの上端に上方から嵌合される摺動フレーム７４ｂと、から構成され、高さ調整ボルト７４ｃにより、固定フレーム７４ａに対する摺動フレーム７４ｂの取付高さ位置を微調整できるようになっているため、床面の不陸に対応して左右の支持枠６６Ｌ，６６Ｒそれぞれの前後の支持枠７０Ｆ，７０Ｂの高さ位置を調整することで、膳板１３を略水平に配置できるようになっている。
【００３１】
横フレーム７５，７５は、一端が第１縦フレーム７４，７４の上端に溶着固定され、互いに他方の支持枠に向けて略水平に延設された短寸のフレームにて構成されている。横フレーム７５，７５の左右側壁における第１縦フレーム７４，７４の直上位置には、軸受孔８０，８０が同一軸心上に形成されており（図４（Ｄ）参照）、この軸受孔８０，８０には、第１回動フレーム７７，７７を回動可能に支持する長寸の軸ボルト８１ａが挿通される。また、横フレーム７５，７５の左右側壁における第２縦フレーム７６，７６の直下位置には、第１回動フレーム７７，７７を水平に支持するための支持片８２，８２が左右側に突設されている。
【００３２】
第２縦フレーム７６，７６は、横フレーム７５，７５における互いに対向する端部から上方に向けて延設されている。つまり、前支持枠７０Ｆは、下端から上方に向けてクランク状に形成されている。第２縦フレーム７６，７６の下方位置及び上方位置には、連結ビーム７１，７２の端部がそれぞれ溶着により固定されている。また、第２縦フレーム７６，７６の前後壁における上端部には、複数（本例では３つ）の位置調整孔８３が上下方向に形成されている（図３（Ａ）中拡大図参照）。
【００３３】
上部フレーム体１７４，１７４は、第２縦フレーム７６，７６の上端開口から内部に挿入可能な金属製の下フレーム８５ａと、挿入不可能な金属製の上フレーム８５ｂと、上フレーム８５ｂの前壁または後壁に取り付けられ上部ユニット６１を取り付けるための取付金具８６と、から構成される。
【００３４】
下フレーム８５ａの前後壁における下部位置には、位置調整孔８３それぞれに合致可能な複数（本例では３つ）の位置調整孔８８が形成されているとともに（図３（Ａ）中拡大図参照）、下フレーム８５の前後壁における上部位置にも、位置調整孔８３それぞれに合致可能な複数（本例では３つ）の位置調整孔８９が形成されている（図３（Ｂ）参照）。このように、上下の位置調整孔８８，８９のいずれかを、下フレーム８５ａの位置調整孔８３に合致させ、位置調整ボルト９０ａをそれぞれ挿通してナット９０ｂを螺入することで、第２縦フレーム７６に対して下フレーム８５ａを下限位置（図３（Ａ）中左側の位置）または上限位置（図３（Ａ）中右側の位置）にて保持することができるようになっている。
【００３５】
尚、下フレーム８５ａの下限位置から上限位置までの長さ寸法Ｌ２は、横フレーム７５の上面７５ａから第２回動フレーム７８が後述する水平位置にて保持されたときの一面７８ａまでの長さ寸法Ｌ１とほぼ同長さとされている（Ｌ１≒Ｌ２）。これら長さ寸法Ｌ１，Ｌ２は、例えば約１００ｍｍ前後とされている。
【００３６】
図２及び図４に示すように、第１回動フレーム７７は、横フレーム７５を挟んで左右両側に配設された一対の回動フレーム７７ａ，７７ｂと、該一対の回動フレーム７７ａ，７７ｂを連結する軸部材としての軸ボルト８１ａと、を有している。また、回動フレーム７７ａ，７７ｂの左右側壁の一端部には、軸ボルト８１ａの貫通孔９１が同一軸心上に形成されているとともに、他端部には、連結ボルト７９ａの貫通孔９２が同一軸心上に形成されている。
【００３７】
このように構成された回動フレーム７７ａ，７７ｂは、図４（Ｄ）に示すように、回動フレーム７７ａ，７７ｂそれぞれに形成された貫通孔９１及び横フレーム７５の軸受孔８０に挿通された軸ボルト８１ａを中心として、図４（Ａ）に示すように横フレーム７５と平行をなす第１水平位置と、図４（Ｂ）に示すように第１縦フレーム７４の延長線上に配置される第１垂直位置と、の間で回動可能に設けられる。
【００３８】
尚、回動フレーム７７ａ，７７ｂは、貫通孔９１に挿通された軸ボルト８１ａに対し相対回動不能に溶着されている。つまり、左右の回動フレーム７７ａ，７７ｂは、互いに平行をなす状態で軸ボルト８１ａを介して一体化されているので、一方を回動させることで他方も回動するようになっている。また、第１水平位置に保持されたときに、横フレーム７５の上面７５ａと、回動フレーム７７ａ，７７ｂの一面７７ｃとが略面一をなし、上面７５ａとその左右に配置される２つの一面７７ｃ，７７ｃとにより、遊技機を第１位置にて下方から支持する略水平な第１支持面１１０が形成される（図２、図５参照）。
【００３９】
図４に示すように、連結ビーム７１の長手方向の両端部には、第２回動フレーム７８を回動可能に支持するための突部９５がそれぞれ形成されている。突部９５は、連結ビーム７１の上板端部から上方に屈曲された屈曲片９５ａの左右側辺から前方または後方に屈曲され、第２縦フレーム７６から第１縦フレーム７４側に向けて突出するように延設された左右一対の支持片９５ｂにより構成されている。
【００４０】
このように突部９５は、前後の第２縦フレーム７６，７６を連結する連結ビーム７１から連設された支持片９５ｂにて形成されているため、突部９５を構成する部材を第２縦フレーム７６に直接固設する場合に比べて、負荷が第２縦フレーム７６だけでなく連結ビーム７１にも分散されるので、支持強度を高めることができる。
【００４１】
連結ビーム７１の端面は、第２縦フレーム７６の壁面に溶着されているとともに、屈曲片９５ａが第２縦フレーム７６の壁面にビス９６により固定されている。左右一対の支持片９５ｂには、第２回動フレーム７８の軸部材９７が挿通される軸受孔９８が同一軸心上に形成されている。
【００４２】
第２回動フレーム７８は、左右側壁の一端側に軸孔９９が形成されており、軸受孔９８に挿通される軸部材９７が挿通されることで、この軸部材９７を中心として、第２縦フレーム７６と略平行をなす第２垂直位置と（図４（Ａ）参照）、横フレーム７５と略平行をなす第２水平位置と（図４（Ｂ）参照）、の間で回動可能に設けられる。また、左右側壁の一端側には貫通孔１００が同一軸心上に形成されており、連結ボルト７９ａが挿通可能とされている。
【００４３】
本実施例においては、回動フレーム７７ａ，７７ｂが第１垂直位置に位置するとともに、第２回動フレーム７８が第２水平位置に位置したときに、回動フレーム７７ａ，７７ｂの貫通孔９２と第２回動フレーム７８の貫通孔１００とが合致して同一軸心上に配置され、これら貫通孔９２，１００内に連結ボルト７９ａを挿通できるようになっている。
【００４４】
このように、回動フレーム７７ａ，７７ｂを第１垂直位置に位置させ、第２回動フレーム７８を第２水平位置に位置させることで、第２回動フレーム７８の左右側に回動フレーム７７ａ，７７ｂが配置され、この状態で貫通孔９２，１００内に連結ボルト７９ａを挿通して連結ナット７９ｂを突出したネジ部に螺入することで、回動フレーム７７ａ，７７ｂの先端と第２回動フレーム７８の先端とを連結できるようになっている。つまり、連結ボルト７９ａ及び連結ナット７９ｂと貫通孔９２，１００は、回動フレーム７７ａ，７７ｂと第２回動フレーム７８とを連結する連結手段を構成している。
【００４５】
すなわち、一端が横フレーム７５により回動可能に支持された回動フレーム７７ａ，７７ｂの先端と、一端が第２縦フレーム７６に回動可能に支持された第２フレーム７８の先端と、を連結ボルト７９ａ及び連結ナット７９ｂにより連結することにより、それぞれの回動軸心及び先端の３点が支持されることになるため、回動フレーム７７ａ，７７ｂと第２回動フレーム７８とが回動が規制されてそれぞれの位置にて保持される。よって、第２回動フレーム７８は、その回動端が回動フレーム７７ａ，７７ｂにより下方から支持されることで、第２水平位置にて安定して保持される。
【００４６】
また、第２回動フレーム７８が第２水平位置に保持されたときに、第２回動フレーム７８の一面７８ａが、横フレーム７５の上面７５ａよりも上方の上方位置に維持されるとともに、第２回動フレーム７８の一面７８ａと、その左右に配置される支持片９５ｂの端面９５ｃ及び回動フレーム７７ａ，７７ｂの端面７７ｄとが略面一をなし、これら一面７８ａ、端面９５ｃ、端面７７ｄにより遊技機を第２位置にて下方から支持する略水平な第２支持面１２０が形成される（図２、図５参照）。
【００４７】
図５に示すように、このように構成された躯体１にあっては、下部ユニット６０と上部ユニット６１との間の前後面に、パチンコ遊技機２やスロットマシン３などの遊技機を設置可能な設置空間部ＳＦ，ＳＢが形成される。詳しくは、設置空間部ＳＦは、下部ユニット６０における横フレーム７５と上部ユニット６１との間に前面側に開放するように形成され、設置空間部ＳＢは、下部ユニット６０における横フレーム７５と上部ユニット６１との間に後面側に開放するように形成される。
【００４８】
そして、設置空間部ＳＢに設置された遊技機の下面は、下部ユニット６０における横フレーム７５の上面７５ａと回動フレーム７７ａ，７７ｂの一面７７ｃとにより形成される第１支持面１１０により下方から支持され、また、設置空間部ＳＦに設置された遊技機の下面は、第２回動フレーム７８の一面７８ａと支持片９５ｂの端面９５ｃ及び回動フレーム７７ａ，７７ｂの端面７７ｄとにより形成される第２支持面１２０により下方から支持され、設置空間部ＳＦ，ＳＢに設置される遊技機の上面は、上部ユニット６１の下面により支持される。
【００４９】
図５には、躯体１における前面側の設置空間部ＳＦにパチンコ遊技機２を設置し、後面側の設置空間部ＳＢにスロットマシン３を設置した状態が示されている。本実施例においては、パチンコ遊技機２とスロットマシン３の上下幅寸法はほぼ同一とされている。
【００５０】
また、左右の支持枠６６Ｌ，６６Ｒの離間幅は、所定台数（本実施例では２台）の遊技機とそれに対応する球貸し処理機やメダル貸し処理機等の合計幅寸法とほぼ同じとされているため、遊技機を設置する際に支持枠６６Ｌ，６６Ｒが邪魔になることがないが、遊技機の幅寸法に応じて連結フレーム６７Ｆ，６７Ｂの長さを調整することができるようにしてもよい。
【００５１】
パチンコ遊技機２は、遊技を行うために遊技球を遊技領域（図示略）に発射するが、この遊技を行う際に遊技者により操作されるハンドルなどの操作部２ａが、遊技機本体の下部位置に配設されている。よって、パチンコ遊技機２を設置空間部ＳＦに設置する場合、回動フレーム７７ａ，７７ｂを第２垂直位置にするとともに、第２回動フレーム７８を第２水平位置にした状態で、貫通孔９２，１００に連結ボルト７９ａを挿通して連結ナット７９ｂを螺入する連結状態とすることで、第２支持面１２０を形成することができる。
【００５２】
そして、このように形成された第２支持面１２０の上面に膳板１３及び固定板１３ａを配設し、この固定板１３ａ上にパチンコ遊技機２の下面を釘（図示略）等により固定し、また、第２支持面１２０に合わせて、第２縦フレーム７６に対して上部フレーム体１７４を上昇させて上限位置にて保持することで設置空間部ＳＦの上下幅寸法が確保され、パチンコ遊技機２の上面を釘（図示略）等により上部ユニット６１の下面に固定することによって、パチンコ遊技機２を設置空間部ＳＦに設置固定することができる。
【００５３】
一方、スロットマシン３は、遊技を行うためにメダルを投入したり、複数種類の図柄が可変表示される可変表示装置（リール）の回転を開始または停止する各種スイッチなどの操作部３ａが、遊技機本体の上下方向の略中央位置に配設されている。よって、スロットマシン３を設置空間部ＳＢに設置する場合、回動フレーム７７ａ，７７ｂを第１水平位置にするとともに、第２回動フレーム７８を第１垂直位置にする、つまり、連結ボルト７９ａ及び連結ナット７９ｂにより連結しない非連結状態とすることで、第１支持面１１０を形成することができる。
【００５４】
そして、このように形成された第１支持面１１０の上面に膳板１３及び固定板１３ａを配設し、この固定板１３ａ上にスロットマシン３の下面を釘（図示略）等により固定し、また、第１支持面１１０に合わせて、第２縦フレーム７６に対して上部フレーム体１７４を下降させて下限位置にて保持することで設置空間部ＳＢの上下幅寸法が確保され、スロットマシン３の上面を釘（図示略）等により上部ユニット６１の下面に固定することによって、スロットマシン３を設置空間部ＳＢに設置固定することができる。
【００５５】
また、躯体１にあっては、第１支持面１１０や第２支持面１２０に合わせて、第２縦フレーム７６に対して上部フレーム体１７４を昇降させて上限位置や下限位置に高さ位置調整できることで、パチンコ遊技機２やスロットマシン３の上面に対する上部ユニット６１の高さ位置関係が変化することがないので、遊技者に違和感を与えることがない。
【００５６】
例えば、上部ユニット６１の高さ位置を、パチンコ遊技機２に対応する高さ位置に合わせて固定してしまう場合、スロットマシン３を設置したときに、スロットマシン３の上面と上部ユニット６１との間に隙間が生じてしまうので、違和感を与えてしまうばかりか、スロットマシン３から離れてしまうため、例えば、呼出しランプ２００に遊技に関する情報（例えば、大当り回数やスランプグラフなど）が表示される場合に、スロットマシン３にて遊技を行っている遊技者がその情報を見るときに、目線を大きくずらさなければならなくなるため、情報の視認性が損なわれることになる。よって、第１支持面１１０や第２支持面１２０に合わせて、第２縦フレーム７６に対して上部フレーム体１７４を昇降させることで、情報が見難くなることを防止できる。
【００５７】
また、固定板１３ａ上にスロットマシン３を長手方向に設置していく場合において、支持枠６６Ｌ，６６Ｒの配置位置には突部９５が突出しているが、スロットマシン３はこの突部９５を避けるように配置することができるので、突部９５が邪魔になることはない。
【００５８】
尚、本実施例では、設置空間部ＳＦにパチンコ遊技機２を設置し、設置空間部ＳＢにスロットマシン３を設置したが、言うまでもなく、設置空間部ＳＢにパチンコ遊技機２を設置し、設置空間部ＳＦにスロットマシン３を設置してもよい。
【００５９】
また、図５に示す躯体１における前後の設置空間部ＳＦ，ＳＢ間の上部位置には、それぞれの遊技機に対応して配置される球貸処理機（図示略）やメダル貸処理機（図示略）に投入された紙幣を搬送する紙幣搬送ユニット１５０が長手方向にわたり延設されている。また、スロットマシン３の上方位置には、スロットマシン３に補給するメダルを搬送するメダル補給ユニット１６０が長手方向にわたり延設されているとともに、スロットマシン３の下方位置には、スロットマシン３からオーバーフローして排出されたメダルを搬送するメダル回収ユニット１７０が長手方向にわたり延設されている。
【００６０】
また、図５に示すパチンコ遊技機２は、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式のパチンコ遊技機であるため、パチンコ遊技機２に遊技球を補給するための補給経路、パチンコ遊技機２から排出された遊技球を回収する回収経路、回収した遊技球を躯体１の上方に揚送する揚送装置及び揚送経路、揚送された遊技球を貯留する上部タンクといった遊技球の循環経路が不要とされている。
【００６１】
このような封入式のパチンコ遊技機は循環経路が不要であるため、循環経路等が内設された遊技機設置島に比べて構造が簡素でコンパクトな遊技機設置島を構成できるとともに、スロットマシン３と併設しやすくなる。
【００６２】
また、膳板１３の上面における各遊技機に対応する位置には、煙草の吸殻を回収する回収口１８０が配設されるとともに、膳板１３の下面には、これら各回収口１８０に連通し回収した吸殻を躯体１の長手方向の所定箇所（例えば、長手方向の一端部）に搬送するための吸殻搬送ユニット１８１が長手方向にわたり延設されている。
【００６３】
尚、吸殻搬送ユニット１８１は、膳板１３の設置位置が遊技機に対応して上下することになるため、吸殻搬送ユニット１８１により搬送された吸殻を貯留する貯留ユニット（図示略）は、このように吸殻搬送ユニット１８１の設置位置が遊技機に対応して上下した場合にも対応して貯留できるように構成されていることが好ましい。
【００６４】
図６に示すように、設置空間部ＳＦ，ＳＢ双方にパチンコ遊技機２を設置する場合は、前支持枠７０Ｆ及び後支持枠７０Ｂ双方の回動フレーム７７ａ，７７ｂと第２回動フレーム７８とを回動させて、互いの先端部同士を連結ボルト７９ａ及び連結ナット７９ｂにより連結する連結状態とすることで、パチンコ遊技機２を第１位置よりも上方の第２位置にて支持する第２支持面１２０を形成すればよい。
【００６５】
尚、パチンコ遊技機２が封入式でない一般的なパチンコ遊技機である場合、遊技球を補給するための補給経路（図示略）、パチンコ遊技機２から排出された遊技球を回収する回収経路（図示略）、回収した遊技球を躯体１の上方に揚送する揚送装置２１０及び揚送経路２２０、揚送された遊技球を貯留する上部タンク２３０といった遊技球の循環経路を配設可能である。
【００６６】
図７に示すように、設置空間部ＳＦ，ＳＢ双方にスロットマシン３を設置する場合は、前支持枠７０Ｆおよび後支持枠７０Ｂ双方の回動フレーム７７ａ，７７ｂと第２回動フレーム７８とを回動させて、互いの先端部同士を連結ボルト７９ａ及び連結ナット７９ｂにより連結しない非連結状態とすることで、スロットマシン３を第１位置にて支持する第１支持面１１０を形成すればよい。
【００６７】
また、図８に示すように、設置空間部ＳＦにパチンコ遊技機２，設置空間部ＳＢにスロットマシン３を設置する場合において、パチンコ遊技機２が封入式パチンコ遊技機ではない場合、遊技球を補給するための補給経路（図示略）、パチンコ遊技機２から排出された遊技球を回収する回収経路（図示略）、回収した遊技球を躯体１の上方に揚送する揚送装置２１０及び揚送経路２２０、揚送された遊技球を貯留する上部タンク２３０といった遊技球の循環経路を、スロットマシン３のメダル補給ユニット１６０やメダル回収ユニット１７０とともに配設することが可能である。
【００６８】
以上説明したように、本発明の実施例としての躯体１にあっては、回動フレーム７７ａ，７７ｂ（第１回動フレーム７７）と第２回動フレーム７８とを連結ボルト７９ａ及び連結ナット７９ｂにより連結しない非連結状態とすることで、スロットマシン３を所定の高さ位置である第１位置にて支持する第１支持面１１０を形成することができる。また、回動フレーム７７ａ，７７ｂと第２回動フレーム７８とを回動させて、互いの先端部同士を連結ボルト７９ａ及び連結ナット７９ｂにより連結する連結状態とすることで、パチンコ遊技機２を第１位置よりも上方の第２位置にて支持する第２支持面１２０を形成することができる。よって、設置する遊技機の種類に応じて、設置する高さ位置を容易に変更することができる。
【００６９】
また、第１支持面１１０や第２支持面１２０に合わせて、第２縦フレーム７６に対して上部フレーム体１７４を昇降させて上限位置や下限位置に高さ位置調整できることで、パチンコ遊技機２やスロットマシン３の上面に対する上部ユニット６１の高さ位置関係が変化することがないので、遊技者に違和感を与えることがない。
【００７０】
また、本実施例では、第２支持面１２０を形成するときに、回動フレーム７７ａ，７７ｂ（第１回動フレーム７７）と第２回動フレーム７８とを回動させた後、互いのフレームの先端部に連結ボルト７９ａを挿通して連結ナット７９ｂにより締結して連結するだけで、第１支持面１１０を構成する横フレーム７５の上方位置に、該横フレーム７５に対して平行に第２回動フレーム７８が架設されるため、第１支持面１１０と同じように、水平なフレームにより第２支持面１２０を構成することができる。
【００７１】
特に、第１回動フレーム７７と第２回動フレーム７８とは、一端が横フレーム７５や第２縦フレーム７６に軸支されているため、それぞれを所定の位置まで回動させる際に大きな荷重がかかることはなく、また、第１回動フレーム７７と第２回動フレーム７８との回動端を１箇所で連結するだけで容易に第２支持面１２０を形成することができる。
【００７２】
また、第２支持面１２０を構成する第２回動フレーム７８にかかる荷重は、第１回動フレーム７７を介して、横フレーム７５にかかる荷重を支持する第１縦フレーム７４にて受けることができるため、第１支持面１１０にて荷重を受けるときと同じように安定して支持することができる。
【００７３】
さらに、第１回動フレーム７７は横フレーム７５における第１縦フレーム７４の直上位置にて回動可能に軸支されていることで、第１回動フレーム７７にかかる荷重を第１縦フレーム７４で受けることができるため、安定性が向上する。
【００７４】
また、第１回動フレーム７７と第２回動フレーム７８とは、それぞれ別個のフレームに軸支されているため、第１回動フレーム７７及び第２回動フレーム７８にかかる荷重を別個のフレームに分散化できるので、安定性が向上する。
【００７５】
尚、本実施例では、第１回動フレーム７７は横フレーム７５における第１縦フレーム７４の直上位置にて回動可能に軸支されていたが、横フレーム７５であれば、第１縦フレーム７４の直上位置以外の箇所に軸支されていてもよい。さらに、本実施例では、第１回動フレーム７７は横フレーム７５に軸支されていたが、第１縦フレーム７４に軸支されていてもよい。
【００７６】
また、本実施例では、第１回動フレーム７７と第２回動フレーム７８とを連結する連結手段の一例として、連結ボルト７９ａ及び連結ナット７９ｂ、貫通孔９２，１００が適用されていたが、本発明はこれに限定されるものではなく、第１回動フレーム７７と第２回動フレーム７８とを連結することができるものであれば、例えば、連結ボルト７９ａ以外の連結部材、例えば、係止突起と係止穴や係止フックと係止ピンなどの係止部材であってもよい。尚、連結手段は、本実施例の連結ボルト７９ａ及び連結ナット７９ｂのように、連結及び該連結の解除操作が可能な連結手段であることが好ましい。
【００７７】
また、本実施例では、第２支持面１２０は第２回動フレーム７８の一面７８ａと第１回動フレーム７７の端面７７ｄとで構成されていたが、第２回動フレーム７８の一面７８ａまたは第１回動フレーム７７の端面７７ｄのいずれかのみで形成されていてもよい。さらに、第１回動フレーム７７の端面７７ｄを第１回動フレーム７７の端面７７ｄよりも上方に突出させ、第１回動フレーム７７の端面７７ｄにより第２支持面を形成するようにしてもよい。
【００７８】
また、本実施例では、１本の第１回動フレーム７７と１本の第２回動フレーム７８とにより第２支持面１２０を形成可能であったが、２本以上の第１回動フレーム７７と第２回動フレーム７８とにより第２支持面１２０を形成するようにしてもよい。
【００７９】
また、本実施例では、第２回動フレーム７８は、第２水平位置に位置したときに、横フレーム７５と同様の長さ寸法となるように形成されていたが、必ずしも同じ長さでなくてもよい。
【００８０】
また、非連結状態、つまり、第１支持面１１０にて遊技機を支持する場合において、第１回動フレーム７７や第２回動フレーム７８は、横フレーム７５や第２縦フレーム７６に沿うように配置されることで、非連結状態において邪魔になることがないばかりか、第１回動フレーム７７は、第１水平位置にあるときに、第１支持面１１０の一部を構成するため、膳板１３の安定性が向上する。
【００８１】
また、第２縦フレーム７６には、横フレーム７５に対し第１縦フレーム７４側に略平行に突出する突部９５が形成され、第２回動フレーム７８は、突部９５に回動可能に設けられていることで、第２回動フレーム７８を支持する突部９５の端面７７ｄに遊技機を設置するための膳板１３等を直接載置することができるので、回動可能に設けられた第２回動フレーム７８のみで膳板１３を支持する場合に比べて、遊技機の荷重を好適に支えることができる。
【００８２】
また、支持枠６６Ｌ，６６Ｒは、上下方向を向く基準線（図示略）を中心として対称配置される前後一対の前記下部フレーム体１７３，１７３及び上部フレーム体１７４，１７４）を有し、突部９５は、前側の第２縦フレーム７６と後側の第２縦フレーム７６とを連結する連結部材としての連結ビーム７１の両端にそれぞれ一体形成されていることで、前側の下部フレーム体１７３に支持されるパチンコ遊技機２と後側の下部フレーム体１７３に支持されるスロットマシン３とで重量が異なる場合でも、一方の突部９５にかかる荷重が連結ビーム７１を介して他方に分散されるので、遊技機を安定して支持できる。
【００８３】
また、第１回動フレーム７７は、横フレーム７５の左右両側に配設された一対の回動フレーム７７ａ，７７ｂと該一対の回動フレーム７７ａ，７７ｂを連結する軸部材としての軸ボルト８１ａとを有し、横フレーム７５には、軸ボルト８１ａが挿通される貫通孔としての軸受孔８０が形成されていることで、横フレーム７５の両側にバランスよく荷重がかかるようになるため、遊技機を安定して支持できる。
【００８４】
尚、本実施例では、第１回動フレーム７７は左右一対の回動フレーム７７ａ，７７ｂにて構成されていたが、１本の回動フレームにて構成されていてもよい。
【００８５】
また、突部９５は、第２縦フレーム７６の左右両側に配設された一対の板部材としての支持片９５ｂ，９５ｂと該一対の支持片９５ｂ，９５ｂを連結する突部用軸部材としての軸部材９７とを有し、支持片９５ｂ，９５ｂには、軸部材９７が挿通される貫通孔としての軸受孔９８が形成されていることで、第２縦フレーム７６の両側にバランスよく荷重がかかるようになるため、遊技機を安定して支持できる。
【００８６】
また、遊技機に対応して設けられ、所定の報知（例えば、遊技店員の呼出し用の報知や対応する遊技機に関する情報の表示など）が可能な報知装置としての呼出しランプ２００を備え、上部フレーム体１７４には、呼出しランプ２００の取付部としての幕板５０が設けられていることで、遊技機の種類によって呼出しランプ２００の上下位置も変わることで、遊技機に対する呼出しランプ２００の位置関係が機種毎に変わることがないので、遊技者に違和感を与えにくくなる。
【００８７】
次に、本発明の変形例としての支持枠について、図９及び図１０に基づいて説明する。図９は、（Ａ）は変形例としての支持枠を示す正面図、（Ｂ）は（Ａ）の要部拡大図である。図１０は、（Ａ）は変形例としての支持枠を示す正面図、（Ｂ）は（Ａ）の要部拡大図である。
【００８８】
図９及び図１０に示すように、本変形例の躯体１０００を構成する支持枠１０６６は、遊技機の下部を支持する下部フレーム体１１７３と、下部フレーム体１１７３の上方に設けられ遊技機の上部を支持する上部フレーム体１１７４と、から構成され、下部フレーム体１１７３は、設置面に立設される第１縦フレーム１０７４と、第１縦フレーム１０７４の上部から略水平方向に延設され遊技機を第１位置にて支持する横フレーム１０７５と、横フレーム１０７５から上方に延設され上部フレーム体１１７４が上下方向に位置調整可能に設けられる第２縦フレーム１０７６と、第２縦フレーム１０７６に対し上下方向にスライド可能に設けられ遊技機を支持する移動支持部材１１００と、横フレーム７５に、移動支持部材１１００を第１位置にて保持する第１回動位置（図１０参照）と該第１位置よりも高い第２位置にて保持する第２回動位置（図９参照）との間で回動可能に設けられた回動部材１２００と、を備えている。
【００８９】
移動支持部材１１００は、第２縦フレーム７６が挿入される管状の移動案内部１１０１と、移動案内部１１０１の下部から第１縦フレーム１０７４側に向けて略水平に延設される支持部１１０２と、から構成され、支持部１１０２の上面１１０２ａにより遊技機を支持する支持面（支持部）が形成される。
【００９０】
回動部材１２００は、支持部１１０２の両側に配置される左右一対の帯状金属片からなり、第１支持部１２０１と、該第１支持部１２０１よりも長寸で該第１支持部１２０１に対し直交するように形成される第２支持部１２０２と、から側面視略Ｌ字形に形成されている。
【００９１】
第１支持部１２０１と第２支持部１２０２との屈曲部には、横フレーム１０７５の上部に設けられた左右方向を向く回動軸１２２０が挿通されており、この回動軸１２２０を中心として、図１０に示すように、第１支持部１２０１が上方を向く垂直位置に位置し第２支持部１２０２が横フレーム１０７５と平行をなす水平位置に位置する第１回動位置と、図９に示すように、第２支持部１２０２が上方を向く垂直位置に位置し第１支持部１２０１が横フレーム１０７５と平行をなす水平位置に位置する第２回動位置と、の間で回動可能に設けられている。
【００９２】
また、第１支持部１２０１の先端に貫通孔１２０３が形成されているとともに、第２支持部１２０２の先端には貫通孔１２０４が形成されており、支持部１１０２の左右側壁に同一軸心上に形成された貫通孔（図示略）に挿通可能な連結ボルト１２１０を挿通できるようになっている。
【００９３】
尚、本変形例の支持枠１０６６は、前後のうち一面（本変形例では前側）にのみ遊技機を設置可能とするものであるため、下部フレーム体１１７３及び上部フレーム体１１７４の後側には連結ビーム７１，７２を介して一直線状の縦フレーム１１１０が連結されている。つまり、下部フレーム体１１７３及び上部フレーム体１１７４は前後対称に配置されていない。このように下部フレーム体及び上部フレーム体は、前後一対に配置されていてもよいし、前後いずれか一方にのみ配置されていても支持枠を構成することができる。
【００９４】
図９に示すように、例えばパチンコ遊技機２を支持する場合、回動部材１２００を第２回動位置とし、支持部１１０２の貫通孔（図示略）と貫通孔１２０４とを合致させた状態で連結ボルト１２１０を挿通して連結ナット（図示略）により締結することで、支持部１１０２の上面１１０２ａが横フレーム１０７５よりも上方の第２位置にて保持される。
【００９５】
一方、図１０に示すように、例えばスロットマシン３を支持する場合、回動部材１２００を第１回動位置とし、支持部１１０２の貫通孔（図示略）と貫通孔１２０３とを合致させた状態で連結ボルト１２１０を挿通して連結ナット（図示略）により締結することで、支持部１１０２の上面１１０２ａが横フレーム１０７５よりも上方の第１位置にて保持される。
【００９６】
つまり、回動部材１２００は、移動支持部材１１００を第１回動位置にて保持する第１保持部としての連結ボルト１２１０及び連結ナット、貫通孔１２０３と、第２回動位置にて保持する第２保持部としての連結ボルト１２１０及び連結ナット、貫通孔１２０４と、を備える。
【００９７】
尚、本変形例においては、第１保持部の一例として連結ボルト１２１０及び連結ナット、貫通孔１２０３が適用され、第２回動位置にて保持する第２保持部の一例として連結ボルト１２１０及び連結ナット、貫通孔１２０４が適用されていたが、本発明はこれに限定されるものではなく、移動支持部材１１００を第１回動位置や第２回動位置にて保持できるものであれば、例えば、連結ボルト７９ａ以外の連結部材、例えば、係止突起と係止穴や係止フックと係止ピンなどの係止部材であってもよい。尚、第１保持部や第２保持部は、本実施例の連結ボルト７９ａ及び連結ナット７９ｂのように、連結及び該連結の解除操作が可能な連結手段であることが好ましい。
【００９８】
このように構成された支持枠１０６６にあっては、膳板１３を載置可能な支持部１１０２を有する移動支持部材１１００が、第２縦フレーム１０７６に対し上下方向に移動可能に設けられていることで、遊技機の支持面を、第１位置と第２位置とに容易に変更することができるため、設置する遊技機の種類に応じて高さ位置を容易に変更することができる。
【００９９】
また、本変形例では、回動部材１２００は所定箇所が軸支された帯状の板部材にて構成されていたが、カムのような形状をした部材であってもよい。
【０１００】
また、本変形例では、回動部材１２００には、移動支持部材１１００を第１位置にて保持する第１回動位置にて保持する第１保持部と、第２位置にて保持する第２回動位置にて保持する第２保持部とが設けられていたが、このような移動支持部材１１００を設けることなく、膳板１３を第１保持部や第２保持部に直接載置するようにしてもよい。
【０１０１】
以上、本発明の実施例を図面により説明してきたが、具体的な構成はこれら実施例に限られるものではなく、本発明の要旨を逸脱しない範囲における変更や追加があっても本発明に含まれる。
【０１０２】
例えば、前記実施例では、遊技機の一例として、封入式のパチンコ遊技機２が適用されていたが、パチンコ遊技機２として、遊技機設置島（図示略）内に設けられた補給経路から補給された遊技球を用いて遊技を行うことが可能であり、使用された遊技球を回収経路に排出可能な所謂一般的なパチンコ遊技機を適用してもよい。
【０１０３】
また、スロットマシンにあっては、遊技用価値としてメダル（遊技媒体）やクレジット等を用いて遊技を行うスロットマシン３が適用されていたが、本発明はこれに限定されるものではなく、遊技用価値としてパチンコ球（遊技媒体）を用いて遊技を行うスロットマシンであってもよいし、雀球遊技機等にも適用可能である。
【０１０４】
また、前記実施例では、遊技者所有の遊技用価値としてのメダルの一部（前記実施例では５０枚まで）をクレジットとして記憶可能であり、メダルまたはクレジットを用いることで遊技（ゲーム）を行うことができるようになっていたが、例えば貸出要求に応じて貸し出された価値や入賞に応じて付与された価値を全てクレジットとして記憶し、該クレジットのみの使用で遊技を行うことが可能な遊技機であってもよく、この場合、遊技用価値とはクレジットにあたる。
【符号の説明】
【０１０５】
１    躯体
２    パチンコ遊技機
３    スロットマシン
１３    膳板
６６Ｌ，６６Ｒ    支持枠
７４    第１縦フレーム
７５    横フレーム
７６    第２縦フレーム
７７    第１回動フレーム
７８    第２回動フレーム
７９ａ    連結ボルト
７９ｂ    連結ナット
９２    貫通孔
１００    貫通孔
１１０    第１支持面
１２０    第２支持面
【図１】
2014073255.tif 000003
【図２】
2014073255.tif 000004
【図３】
2014073255.tif 000005
【図４】
2014073255.tif 000006
【図５】
2014073255.tif 000007
【図６】
2014073255.tif 000008
【図７】
2014073255.tif 000009
【図８】
2014073255.tif 000010
【図９】
2014073255.tif 000011
【図１０】
2014073255.tif 000012